(57)【要約】【課題】防滑性能、ウェット時のフィーリングに優れたゴルフクラブ用グリップを提供する。また、さらに耐久性に優れ、ヘッドスピードが向上するゴルフクラブ用グリップを提供する。【解決手段】ゴルフクラブ用グリップは、シャフトが挿嵌される円筒部を有するグリップであって、前記円筒部の表面の少なくとも一部に、２５ｍｍ2当たりの細溝の占有率が３５％以上である細溝領域を有し、前記細溝の幅（ｗ）が０．１ｍｍ〜０．７ｍｍ、細溝の深さ（ｈ）が０．１ｍｍ〜１．０ｍｍであることを特徴とする。また、前記細溝の間隔（ｄ）が、１．５ｍｍ以下であることが好ましい。【選択図】図１
2020018386.tif 000002
【特許請求の範囲】
【請求項１】
シャフトが挿嵌される円筒部を有するグリップであって、
前記円筒部の表面の少なくとも一部に、２５ｍｍ2当たりの細溝の占有率が３５％以上である細溝領域を有し、
前記細溝の幅（ｗ）が０．１ｍｍ〜０．７ｍｍ、細溝の深さ（ｈ）が０．１ｍｍ〜１．０ｍｍであることを特徴とするゴルフクラブ用グリップ。
【請求項２】
前記円筒部のチップ側端部を０％、バット側端部を１００％としたとき、
前記円筒部の１０％〜１００％の範囲の少なくとも一部に、前記細溝領域が設けられている請求項１に記載のゴルフクラブ用グリップ。
【請求項３】
前記細溝領域の総面積が、１４００ｍｍ2以上である請求項１または２に記載のゴルフクラブ用グリップ。
【請求項４】
前記細溝領域において、前記細溝の間隔（ｄ）が、１．５ｍｍ以下である請求項１〜３のいずれか一項に記載のゴルフクラブ用グリップ。
【請求項５】
前記細溝領域において、前記細溝の間隔（ｄ）と前記細溝の幅（ｗ）との比（ｄ／ｗ）が、１〜５である請求項４に記載のゴルフクラブ用グリップ。
【請求項６】
前記円筒部が、基材ゴムとして非極性ゴムを含有するゴム組成物から形成されている請求項１〜５のいずれか一項に記載のゴルフクラブ用グリップ。
【請求項７】
シャフトと、前記シャフトの一端に取り付けられたヘッドと、前記シャフトの他端に取り付けられたグリップとを備え、
前記グリップが、請求項１〜６のいずれか１項に記載のゴルフクラブ用グリップであることを特徴とするゴルフクラブ。
【発明の詳細な説明】
【技術分野】
【０００１】
本発明は、ゴルフクラブ用グリップに関する。
【背景技術】
【０００２】
ゴルフクラブは、シャフトと、このシャフトの前端近傍に装着されたヘッドと、シャフトの後端近傍が挿嵌されるグリップとから構成されている。グリップは、ゴルフクラブをスイングするゴルファーが手で把持する部分であり、ゴルファーの運動がゴルフクラブに伝達される際に極めて重要な役割を果たす部分である。グリップの重要な要求性能として、スイング中にゴルファーの手とグリップとの滑りが抑制されることが挙げられる。
【０００３】
一般にグリップは、ゴム、合成樹脂等の柔軟な材料から成形されており、さらに防滑性能を高めるために、その表面に溝や凹みのパターンが形成されている（例えば、特許文献１（段落００３５、図４）参照）。
【０００４】
また、特許文献２には、グリップ表面に高さが異なるステムの個別のゾーンを有するステム配列を形成したグリップが提案されている（特許文献２（段落００４０〜００４３）参照）。この特許文献２のグリップでは、第１ゾーンには、約０．０２０〜約０．０３０インチ（０．５０８〜０．７６２ｍｍ）の高さを有するステムが形成されている。
【先行技術文献】
【特許文献】
【０００５】
【特許文献１】特開２０１６−２１４７０４号公報
【特許文献２】特表２００５−５０８７６９号公報
【発明の概要】
【発明が解決しようとする課題】
【０００６】
引用文献２には、グリップの防滑性能を高めるために、グリップ表面に微細な突起を設けることが提案されている。しかしながら、突起の形状を微細にした場合、突起の強度を維持するために突起間の溝の深さを浅くする必要がある。そのため、ゴルファーの汗、雨などの水分が、微細突起に留まりやすくなり、グリップ表面のドライ性が低下する傾向がある。
【０００７】
本発明は上記事情に鑑みてなされたものであり、防滑性能、ウェット時のフィーリングに優れたゴルフクラブ用グリップを提供することを目的とする。
【課題を解決するための手段】
【０００８】
上記課題を解決することができた本発明のゴルフクラブ用グリップは、シャフトが挿嵌される円筒部を有し、前記円筒部の表面の少なくとも一部に、２５ｍｍ2当たりの細溝の占有率が３５％以上である細溝領域を有し、前記細溝の幅（ｗ）が０．１ｍｍ〜０．７ｍｍ、細溝の深さ（ｈ）が０．１ｍｍ〜１．０ｍｍであることを特徴とする。
【０００９】
前記グリップは、特定の幅および深さを有する細溝が一定量形成された細溝領域を有している。この細溝領域は、ゴルファーの汗や雨などの水分を細溝内部へと取込むことができ、グリップ表面をドライな状態に保つことができる。また、前記グリップは、細溝によって区切られることで出現する島部が、使用者の皮膚にひっかかることによって防滑性能が向上する。
【００１０】
本発明には、シャフトと、前記シャフトの一端に取り付けられたヘッドと、前記シャフトの他端に取り付けられたグリップとを備え、前記グリップが、前記ゴルフクラブ用グリップであるゴルフクラブも含まれる。
【発明の効果】
【００１１】
本発明によれば、防滑性能、ウェット時のフィーリングに優れるゴルフクラブ用グリップが得られる。
【図面の簡単な説明】
【００１２】
【図１】細溝領域の一例を示す図である。
【図２】図１の細溝領域のＡ−Ａ断面図である。
【図３】図１の細溝領域のＢ−Ｂ断面図である。
【図４】細溝領域の他の一例を示す図である。
【図５】図４の細溝領域のＡ−Ａ断面図である。
【図６】図４の細溝領域のＢ−Ｂ断面図である。
【図７】細溝領域の他の一例を示す図である。
【図８】ゴルフクラブ用グリップの一例を示す斜視図である。
【図９】図８のゴルフクラブ用グリップのＣ−Ｃ断面模式図である。
【図１０】ゴルフクラブの一例を示す斜視図である。
【発明を実施するための形態】
【００１３】
本発明のゴルフクラブ用グリップは、シャフトが挿嵌される円筒部を有し、前記円筒部の表面の少なくとも一部に、２５ｍｍ2当たりの細溝の占有率が３５％以上である細溝領域を有する。前記グリップは、特定の幅および深さを有する細溝が一定量形成された細溝領域を有している。この細溝領域は、ゴルファーの汗や雨などの水分を細溝内部へと取込むことができ、グリップ表面をドライな状態に保つことができる。また、前記グリップは、細溝によって区切られることで出現する島部が、使用者の皮膚にひっかかることによって防滑性能が向上する。
【００１４】
（細溝領域）
前記細溝領域とは、特定の細溝が一定の占有率となるように形成された領域である。前記細溝領域における細溝の占有率は、２５ｍｍ2（５ｍｍ×５ｍｍ四方）当たり３５％以上、好ましくは３８％以上、より好ましくは４０％以上であり、６５％以下が好ましく、より好ましくは６０％以下、さらに好ましくは５５％以下である。細溝の占有率が３５％以上であれば細溝から水が溢れにくく、ウェット時のフィーリングが良好となる。また、細溝の占有率が６５％以下であれば接触面積の低下による滑りを感じることがなく、防滑性能が良好となる。なお、占有率は、単位面積における細溝の面積の割合である。細溝の面積は、グリップの表面を顕微鏡で観察して測定してもよいし、グリップ表面における細溝の幅（ｗ）、細溝の長さ、および、細溝の本数から算出してもよい。なお、細溝領域には、後述する細溝以外の溝が形成されていてもよいが、上記面積を算出する際には、細溝の面積のみを計測することとする。
【００１５】
前記細溝領域に形成される細溝は、幅（ｗ）が０．１ｍｍ〜０．７ｍｍである。細溝の幅が、この範囲内であれは、ゴルファーの汗などの水分を細溝内部へと取込みやすくなる。前記細溝の幅は、０．２ｍｍ以上が好ましく、より好ましくは０．３ｍｍ以上であり、０．６ｍｍ以下が好ましく、より好ましくは０．５ｍｍ以下である。細溝の幅は、グリップの表面における幅を測定する。測定は、マイクロメーター等を用いればよい。
【００１６】
前記細溝の深さ（ｈ）は、０．１ｍｍ〜１．０ｍｍである。細溝の深さが、この範囲内であれは、ゴルファーの汗などの水分を細溝内部へと取込みやすくなる。前記細溝の深さは、０．２ｍｍ以上が好ましく、より好ましくは０．３ｍｍ以上であり、０．８ｍｍ以下が好ましく、より好ましくは０．７ｍｍ以下である。なお、溝の幅は、深さ方向に一定であってもよいし、深くなるほど幅が狭くなるように形成してもよい。
【００１７】
前記細溝領域に形成される細溝は、一種類の細溝を複数形成してもよいし、複数種類の細溝を組合せて形成してもよい。前記細溝の形状は、直線状、曲線状など特に限定されないが、直線状であることが好ましい。また、前記細溝の幅、深さは、一定であることが好ましい。
【００１８】
前記細溝領域において、細溝の平均長さは、１０ｍｍ以上が好ましく、より好ましくは２０ｍｍ以上、さらに好ましくは３０ｍｍ以上である。前記細溝の平均長さが１０ｍｍ以上であれば、細溝に取込んだ水分を細溝内で拡散することができ、ゴルファーの汗などの水分を細溝内部へとより取込みやすくなる。
【００１９】
前記細溝領域において、細溝の間隔（ｄ）は、１．５ｍｍ以下が好ましく、より好ましくは１．２ｍｍ以下、さらに好ましくは１．０ｍｍ以下である。細溝の間隔が１．５ｍｍ以下であれば、細溝間に形成される島部が皮膚に引っかかりやすくなり、フィーリングがより良好となる。そのため、使用者のグリップを握る力が無意識的に弱くなり、スイングに対する体の抵抗が小さくなることで、ヘッドスピードが向上する。また、複数の細溝を互いに平行となるように形成する場合、細溝の間隔は、０．３ｍｍ以上が好ましく、より好ましくは０．４ｍｍ以上、さらに好ましくは０．５ｍｍ以上である。細溝の間隔が０．３ｍｍ以上であれば、細溝間に形成される島部の機械的強度が高くなり、耐久性がより向上する。なお、細溝の間隔は一定でもよいし、異なっていてもよい。
【００２０】
前記細溝の間隔（ｄ）と、前記細溝の幅（ｗ）との比（ｄ／ｗ）は、１以上が好ましく、より好ましくは１．５以上、さらに好ましくは２以上であり、５以下が好ましく、より好ましくは４．５以下、さらに好ましくは４以下である。比（ｄ／ｗ）が上記範囲内であれば、打撃時のフィーリングがより良好となる。
【００２１】
前記細溝としては、互いに平行に形成される第１の細溝群と、この第１の細溝群と交差するように形成され、かつ、互いに平行に形成される第２の細溝群とを有することが好ましい。これらの第１の細溝群と第２の細溝群とを形成することで、細溝の占有率を制御しやすくなる。
【００２２】
前記第１の細溝群と第２の細溝群とを形成する場合、これらのなす角は、４５°以上が好ましく、より好ましくは６０°以上、さらに好ましくは８０°以上であり、１３５°以下が好ましく、より好ましくは１２０°以下、さらに好ましくは１００°以下である。これらの細溝群のなす角が前記範囲内であれば、細溝群の間に形成される島部の機械的強度が高くなり、耐久性がより向上する。
【００２３】
前記細溝領域は、前記円筒部のチップ側端部を０％、バット側端部を１００％としたとき、前記円筒部の１０％〜１００％の範囲の少なくとも一部に設けられていることが好ましく、より好ましくは１５％〜８０％の範囲、さらに好ましくは２０％〜７０％の範囲である。
【００２４】
前記細溝領域は、円筒部の１０％〜６０％までの範囲に形成することが特に好ましい。この場合、円筒部の１０％〜６０％までの範囲の表面積において、細溝領域の面積率は３０面積％以上が好ましく、より好ましくは４０面積％以上、さらに好ましくは５０面積％以上であり、９５面積％以下が好ましく、より好ましくは９０面積％以下、さらに好ましくは８５面積％以下である。前記チップ側端部からの軸方向の距離が全長の１０％〜６０％までの範囲は、使用者が素手でグリップを握る部分である。この部分に細溝領域を有することで、グリップの感触がより良好となる。
【００２５】
前記細溝領域は、前記円筒部の周方向に連続するように形成されていることが好ましい。このように形成することで、細溝に取込まれたゴルファーの汗などを拡散させやすくなる。なお、周方向に連続するとは、周方向に直線的に連続している形態だけでなく、周方向にＶ字状やＵ字状に連続している形態も含む。前記細溝領域の周方向の長さは、円筒部の周長の１０％以上が好ましく、より好ましくは２０％以上、さらに好ましくは３０％以上であり、１００％以下である。
【００２６】
前記細溝領域は、１箇所のみ形成してもよいし、複数箇所に形成してもよい。前記細溝領域の総面積は、１４００ｍｍ2以上が好ましく、より好ましくは２８００ｍｍ2以上、さらに好ましくは４２００ｍｍ2以上である。総面積が１４００ｍｍ2以上であれば、フィーリングがより良好となり、ヘッドスピードが向上する。また、個々の細溝領域の面積は、１８０ｍｍ2以上が好ましく、より好ましくは３６０ｍｍ2以上、さらに好ましくは５４０ｍｍ2以上である。
【００２７】
前記細溝領域は、レーザ加工、金型からの転写により形成することができ、レーザ加工により形成することが好ましい。レーザ加工により形成することで、細溝を容易に形成できる。
【００２８】
図１〜７を参照し、細溝領域に形成される細溝について説明する。図１は、細溝領域の一例を示す平面図である。図２は、図１の細溝領域のＡ−Ａ断面図である。図３は、図１の細溝領域のＢ−Ｂ断面図である。図４は、細溝領域の他の一例を示す平面図である。図５は、図４の細溝領域のＡ−Ａ断面図である。図６は、図４の細溝領域のＢ−Ｂ断面図である。図７は、細溝領域の他の一例を示す平面図である。
【００２９】
図１、４、７の細溝領域では、第１の細溝群１０と第２の細溝群２０が形成されている。第１の細溝群１０の幅Ｗ１および間隔ｄ１は一定に形成されている。第２の細溝群２０の幅Ｗ２および間隔ｄ２は一定に形成されている。また、図１、４、７の細溝領域では、第１の細溝群１０の幅ｗ１と第２の細溝群２０の幅ｗ２が同一であり、第１の細溝群１０の間隔ｄ１と第２の細溝群２０の間隔ｄ２が同一である。
【００３０】
図１、４の細溝領域において、第１の細溝群１０の方向をＸ、第２の細溝群２０の方向をＹとすると、第１の細溝群１０と第２の細溝群２０とがなす角θは９０°である。よって、細溝によって形成された島部の平面視形状は正方形となっている。
【００３１】
図１の細溝領域では、第１の細溝群１０の幅ｗ１および第２の細溝群２０の幅ｗ２は、深さ方向に一定に形成されている。よって、細溝によって形成された島部の断面形状は四角柱となっている。図４の細溝領域では、第１の細溝群１０の幅ｗ１および第２の細溝群２０の幅ｗ２は、深くなるにつれて狭くなるように形成されている。よって、細溝によって形成された島部の断面形状は四角錐台となっている。
【００３２】
図７は、細溝領域において、第１の細溝群１０の方向をＸ、第２の細溝群２０の方向をＹとすると、第１の細溝群１０と第２の細溝群２０とがなす角θは４５°である。よって、細溝によって形成された島部の平面視形状は菱形となっている。
【００３３】
［構造］
前記ゴルフクラブ用グリップの円筒部は、単層構造でもよいし、多層構造でもよい。円筒部が単層構造の場合は、細溝領域と、細溝領域以外の他の領域（以下、単に「他の領域」と称する場合がある。）とを異なる組成物から形成してもよいし、同一の組成物から形成してもよい。なお、単層構造の円筒部は、細溝領域および他の領域が、いずれも中実層であることが好ましい。
【００３４】
円筒部が多層構造の場合、円筒部は最表層と少なくとも一層の内層とを有する。前記最表層が細溝領域を有する。ここで、最表層とは、グリップの最も外側の層であり、グリップ使用時に使用者が触れる部分である。前記最表層は、細溝領域と他の領域とを異なる組成物から形成してもよいし、同一の組成物から形成してもよい。なお、最表層は、細溝領域および他の領域が、いずれも中実層であることが好ましい。前記内層は、少なくとも一層が多孔質層であることが好ましい。円筒部を多層構造とする場合、最表層と１層の内層とを有する２層構造；最表層と２層の内層とを有する３層構造；が好ましい。
【００３５】
前記円筒部の厚さは、０．５ｍｍ以上が好ましく、より好ましくは１．０ｍｍ以上、さらに好ましくは１．５ｍｍ以上であり、１７．０ｍｍ以下が好ましく、より好ましくは１０．０ｍｍ以下、さらに好ましくは８．０ｍｍ以下である。前記円筒部の厚さは、軸方向に一定となるように形成してもよいし、先端部から後端部に向かって徐々に厚くなるように形成してもよい。
【００３６】
前記円筒部の厚さが０．５ｍｍ〜１７．０ｍｍの場合、前記最表層の厚さは、０．５ｍｍ以上が好ましく、より好ましくは０．６ｍｍ以上、さらに好ましくは０．７ｍｍ以上であり、２．５ｍｍ以下が好ましく、より好ましくは２．３ｍｍ以下、さらに好ましくは２．１ｍｍ以下である。前記外層の厚さが０．５ｍｍ以上であれば外層素材による補強効果がより大きくなり、２．５ｍｍ以下であれば相対的に内層を厚くすることができ、グリップの軽量化の効果が大きくなる。
【００３７】
前記円筒部の厚さに対する最表層の厚さの百分率（（最表層厚さ／円筒部厚さ）×１００）は、０．５％以上が好ましく、より好ましくは１．０％以上、さらに好ましくは１．５％以上であり、９９．０％以下が好ましく、より好ましくは９８．０％以下、さらに好ましくは９７．０％以下である。前記百分率が０．５％以上であれば外層素材による補強効果がより大きくなり、９９．０％以下であれば相対的に内層を厚くすることができ、グリップの軽量化の効果が大きくなる。
【００３８】
［材質］
前記円筒部の材質は特に限定されず、従来ゴルフクラブ用グリップに使用されているゴム組成物、樹脂組成物から形成できる。
【００３９】
前記円筒部は、前記細溝領域が、ゴム組成物から形成されていることが好ましい。細溝領域をゴム組成物から形成することで、島部のチッピングの発生を抑制できる。前記細溝領域を構成するゴム組成物（以下、「第１ゴム組成物」と称する場合がある。）としては、基材ゴムと架橋剤とを含有することが好ましい。
【００４０】
前記基材ゴムとしては、天然ゴム（ＮＲ）、エチレン−プロピレン−ジエンゴム（ＥＰＤＭ）、ブチルゴム（ＩＩＲ）、アクリロニトリル−ブタジエンゴム（ＮＢＲ）、水素添加アクリロニトリル−ブタジエンゴム（ＨＮＢＲ）、カルボキシ変性アクリロニトリル−ブタジエンゴム（ＸＮＢＲ）、カルボキシ変性水素添加アクリロニトリル−ブタジエンゴム（ＨＸＮＢＲ）、ブタジエンゴム（ＢＲ）、スチレン−ブタジエンゴム（ＳＢＲ）、ポリウレタンゴム（ＰＵ）、イソプレンゴム（ＩＲ）、クロロプレンゴム（ＣＲ）、エチレン−プロピレンゴム（ＥＰＭ）などが挙げられる。これらの基材ゴムは、単独で使用してもよいし、２種以上を併用してもよい。
【００４１】
前記基材ゴムは、非極性ゴムを含有することが好ましい。基材ゴムが非極性ゴムを含有率すれば、グリップに使用者の皮脂が付着した場合でも、グリップが油分を吸収することができる。そのため、使用者の皮脂による防滑性能の低下を抑制できる。前記基材ゴム中の非極性ゴムの含有率は、５０質量％以上が好ましく、より好ましくは６０質量％以上、さらに好ましくは７０質量％以上である。前記非極性ゴムは、ＳＰ（溶解度パラメーター）値が７．７以上、８．７未満である。
【００４２】
前記ＳＰ値は、Ｆｅｄｏｒｓの式（下記数式（１））（Polymer Engineering and Science、第１４巻、第２号、１９７４年、第１４７頁）により求められる値（Ｐａ１／２（２５℃））である。
ＳＰ値＝（ΔＥ／Ｖ）1/2＝（ΣΔｅｉ／ΣΔｖｉ）1/2      （１）
［式（１）中、ΔＥは蒸発エネルギー、Ｖはモル体積、Δｅｉは原子または原子団の蒸発エネルギー、Δｖｉは原子または原子団のモル体積を表す。］
【００４３】
前記非極性ゴムとしては、例えば、イソプレンゴム（ＩＲ）、ブタジエンゴム（ＢＲ）、スチレン−ブタジエンゴム（ＳＢＲ）、クロロプレンゴム（ＣＲ）、天然ゴム（ＮＲ）、などのジエン系ゴム；エチレン−プロピレンゴム（ＥＰＭ）、エチレン−プロピレン−ジエンゴム（ＥＰＤＭ）、ブチルゴム（ＩＩＲ）などの非ジエンゴムが挙げられる。非極性ゴムが単独で使用してもよいし、２種以上を併用してもよい。これらの中でも、ジエン系ゴムが好ましく、非極性ゴム中のジエン系ゴムの含有率は５０質量％以上が好ましく、より好ましくは６０質量％以上である。非極性ゴムとしてジエン系ゴムのみを使用することも好ましい。前記非極性ゴムとしては、ＮＲ、ＥＰＤＭ、ＩＩＲ、ＳＢＲがより好ましい。
【００４４】
前記第１ゴム組成物は、基材ゴムとして、天然ゴムを含有することが好ましい。天然ゴムを含有することで、寒冷条件下においても島部の柔軟性が維持され、高い防滑性能を維持できる。基材ゴムとして天然ゴムを使用する場合、基材ゴム中の天然ゴムの含有率は５０質量％以上が好ましく、より好ましくは５５質量％以上、さらに好ましくは６０質量％以上である。
【００４５】
前記架橋剤としては、硫黄系架橋剤、有機過酸化物を使用できる。前記硫黄系架橋剤としては単体硫黄、硫黄ドナー型化合物が挙げられる。前記単体硫黄としては、粉末硫黄、沈降硫黄、コロイド状硫黄、不溶性硫黄が挙げられる。前記硫黄ドナー型化合物としては、４，４’−ジチオビスモルホリンなどが挙げられる。前記有機過酸化物としては、ジクミルパーオキサイド、α，α’−ビス（ｔ−ブチルパーオキシ−ｍ−ジイソプロピル）ベンゼン、２，５−ジメチル−２，５−ジ（ｔ−ブチルパーオキシ）ヘキサン、１，１−ビス（ｔ−ブチルパーオキシ）３，３，５−トリメチルシクロヘキサンなどが挙げられる。前記架橋剤は単独で使用してもよいし、２種以上を併用してもよい。前記架橋剤としては、硫黄系架橋剤が好ましく、単体硫黄がより好ましい。前記架橋剤の使用量は、基材ゴム１００質量部に対して、０．２質量部以上が好ましく、より好ましくは０．４質量部以上、さらに好ましくは０．６質量部以上であり、４．０質量部以下が好ましく、より好ましくは３．５質量部以下、さらに好ましくは３．０質量部以下である。
【００４６】
前記第１ゴム組成物は、さらに加硫促進剤、加硫活性剤を含有することが好ましい。
【００４７】
前記加硫促進剤としては、テトラメチルチウラムジスルフィド（ＴＭＴＤ）、テトラベンジルチウラムジスルフィド（ＴＢｚＴＤ）、テトラメチルチウラムモノスルフィド（ＴＭＴＭ）、ジペンタメチレンチウラムテトラスルフィドなどのチウラム系；ジフェニルグアニジン（ＤＰＧ）などのグアニジン系；ジメチルジチオカルバミン酸亜鉛（ＺｎＰＤＣ）、ジブチルジチオカルバミン酸亜鉛などのジチオカルバミン酸塩系；トリメチルチオ尿素、Ｎ，Ｎ'−ジエチルチオ尿素などのチオウレア系；メルカプトベンゾチアゾール（ＭＢＴ）、ベンゾチアゾールジスルフィドなどのチアゾール系；Ｎ−シクロヘキシル−２−ベンゾチアゾリルスルフェンアミド（ＣＢＳ）、Ｎ−ｔ−ブチル−２−ベンゾチアゾリルスルフェンアミド（ＢＢＳ）などのスルフェンアミド系；などが挙げられる。これらの加硫促進剤は、単独で使用してもよいし、２種以上を併用してもよい。前記加硫促進剤の合計使用量は、基材ゴム１００質量部に対して、０．４質量部以上が好ましく、より好ましくは０．８質量部以上、さらに好ましくは１．２質量部以上であり、８．０質量部以下が好ましく、より好ましくは７．０質量部以下、さらに好ましくは６．０質量部以下である。
【００４８】
前記加硫活性剤としては、金属酸化物（酸化チタンを除く。）、金属過酸化物、脂肪酸などが挙げられる。前記金属酸化物としては、酸化亜鉛、酸化マグネシウム、酸化鉛などが挙げられる。前記金属過酸化物としては、過酸化亜鉛、過酸化クロム、過酸化マグネシウム、過酸化カルシウムなどが挙げられる。前記脂肪酸としては、ステアリン酸、オレイン酸、パルミチン酸などが挙げられる。これらの加硫活性剤は、単独で使用してもよいし、２種以上を併用してもよい。前記加硫活性剤の合計使用量は、基材ゴム１００質量部に対して、０．５質量部以上が好ましく、より好ましくは０．６質量部以上、さらに好ましくは０．７質量部以上であり、１０．０質量部以下が好ましく、より好ましくは９．５質量部以下、さらに好ましくは９．０質量部以下である。
【００４９】
前記第１ゴム組成物は、さらに必要に応じて、老化防止剤、軟化剤、着色剤、スコーチ防止剤、樹脂などを配合してもよい。
【００５０】
前記老化防止剤としては、イミダゾール類、アミン類、フェノール類、チオウレア類などが挙げられる。前記イミダゾール類としては、ジブチルジチオカルバミン酸ニッケル（ＮＤＩＢＣ）、２−メルカプトベンズイミダゾール、２−メルカプトベンズイミダゾールの亜鉛塩などが挙げられる。アミン類としては、フェニル−α−ナフチルアミンなどが挙げられる。フェノール類としては、２，２’−メチレンビス（４−メチル−６−ｔ−ブチルフェノール）（ＭＢＭＢＰ）、２，６−ジ−ｔｅｒｔ−ブチル−４−メチルフェノールなどが挙げられる。チオウレア類としては、トリブチルチオ尿素、１，３−ビス（ジメチルアミノプロピル）−２−チオ尿素などが挙げられる。これらの老化防止剤は単独で使用してもよいし、２種以上を併用してもよい。前記老化防止剤の使用量は、基材ゴム１００質量部に対して、０．２質量部以上が好ましく、より好ましくは０．３質量部以上、さらに好ましくは０．４質量部以上であり、５．０質量部以下が好ましく、より好ましくは４．８質量部以下、さらに好ましくは４．６質量部以下である。
【００５１】
前記軟化剤としては、鉱物油、可塑剤が挙げられる。前記鉱物油としては、パラフィンオイル、ナフテンオイル、アロマチックオイルなどが挙げられる。前記可塑剤としては、ジオクチルフタレート、ジブチルフタレート、ジオクチルセパケート、ジオクチルアジペートなどが挙げられる。
【００５２】
前記スコーチ防止剤としては、有機酸、ニトロソ化合物などが挙げられる。前記有機酸としては、無水フタル酸、無水ピロメリット酸、無水トリメリット酸、安息香酸、サリチル酸、リンゴ酸などが挙げられる。前記ニトロソ化合物としては、Ｎ−ニトロソ・ジフェニルアミン、Ｎ−（シクロヘキシルチオ）フタルイミド、スルホンアミド誘導体、ジフェニルウレア、ビス（トリデシル）ペンタエリスルトールジホスファイト、２−メルカプトベンズイミダゾールなどが挙げられる。
【００５３】
前記樹脂としては、水素添加ロジンエステル、不均化ロジンエステル、エチレン−酢酸ビニル共重合体、クマロン樹脂、フェノール樹脂、キシレン樹脂、スチレン樹脂などが挙げられる。
【００５４】
前記第１ゴム組成物は、従来公知の方法で調製できる。例えば、バンバリーミキサー、ニーダー、オープンロールなどの混練機を用いて、各原料を混練りすることで調製できる。
【００５５】
前記第１ゴム組成物の材料硬度（ショアＡ硬度）は、４０以上が好ましく、より好ましくは４２以上、さらに好ましくは４５以上であり、６０以下が好ましく、より好ましくは５８以下、さらに好ましくは５５以下である。第１ゴム組成物の材料硬度（ショアＡ硬度）が４０以上であれば細溝領域の機械的強度がより向上し、６０以下であれば最表層が硬くなりすぎず、掴んだ時のグリップ感がより良好となる。
【００５６】
単層構造の円筒部または多層構造の円筒部の最表層において、細溝領域以外の他の領域の材質は特に限定されないが、前記第１ゴム組成物から形成されていることが好ましい。なお、前記他の領域を構成するゴム組成物は、前記細溝領域を構成するゴム組成物と同一の組成でもよいし、異なる組成でもよい。これらが同一の組成であれば、円筒部または最表層の作製が容易となる。
【００５７】
前記円筒部が多層構造の場合、内層の材質は特に限定されない。前記内層を形成する組成物（以下、「第２組成物」と称する場合がある。）としては、第２ゴム組成物、樹脂組成物が挙げられる。
【００５８】
前記第２ゴム組成物は、基材ゴムと架橋剤とを含有することが好ましい。前記基材ゴムとしては、天然ゴム（ＮＲ）、エチレン−プロピレン−ジエンゴム（ＥＰＤＭ）、ブチルゴム（ＩＩＲ）、アクリロニトリル−ブタジエンゴム（ＮＢＲ）、水素添加アクリロニトリル−ブタジエンゴム（ＨＮＢＲ）、カルボキシ変性アクリロニトリル−ブタジエンゴム（ＸＮＢＲ）、カルボキシ変性水素添加アクリロニトリル−ブタジエンゴム（ＨＸＮＢＲ）、ブタジエンゴム（ＢＲ）、スチレン−ブタジエンゴム（ＳＢＲ）、ポリウレタンゴム（ＰＵ）、イソプレンゴム（ＩＲ）、クロロプレンゴム（ＣＲ）、エチレン−プロピレンゴム（ＥＰＭ）などが挙げられる。これらの中でも、前記基材ゴムとしては、ＮＲ、ＥＰＤＭ、ＩＩＲ、ＮＢＲ、ＨＮＢＲ、ＸＮＢＲ、ＨＸＮＢＲ、ＢＲ、ＳＢＲ、ＰＵが好ましい。
【００５９】
前記第２ゴム組成物の架橋剤としては、前記第１ゴム組成物に使用されるものと同じものが挙げられ、単体硫黄が好ましい。前記第２ゴム組成物は、さらに加硫促進剤、加硫活性剤を含有することが好ましい。これらの加硫促進剤、加硫活性剤としては前記第１ゴム組成物に使用されるものと同じものが挙げられる。前記加硫促進剤としては、Ｎ−ｔ−ブチル−２−ベンゾチアゾリルスルフェンアミド、テトラベンジルチウラムジスルフィドが好ましい。前記加硫活性剤としては、酸化亜鉛、ステアリン酸が好ましい。
【００６０】
前記第２ゴム組成物は、さらに必要に応じて補強材、老化防止剤、軟化剤、着色剤、スコーチ防止剤などを配合してもよい。これらの補強材、老化防止剤、着色剤としては前記第１ゴム組成物に使用されるものと同じものが挙げられる。前記補強材としては、カーボンブラック、シリカが好ましい。前記老化防止剤としては、２，２’−メチレンビス（４−メチル−６−ｔ−ブチルフェノール）が好ましい。
【００６１】
前記第２ゴム組成物は、従来公知の方法で調製できる。例えば、バンバリーミキサー、ニーダー、オープンロールなどの混練機を用いて、各原料を混練りすることで調製できる。混練りする際の温度（材料温度）は、７０℃〜１６０℃が好ましい。なお、第２ゴム組成物がマイクロバルーンを含有する場合は、マイクロバルーンの膨張開始温度未満の温度で混練りすることが好ましい。
【００６２】
前記樹脂組成物は、基材樹脂を含有する。前記基材樹脂としては、ポリウレタン樹脂、ポリスチレン樹脂、ポリエチレン樹脂、ポリプロピレン樹脂、エチレン酢酸ビニル共重合体樹脂、ポリエチレンテレフタレート樹脂などが挙げられる。
【００６３】
前記他の部分を形成する第２組成物としては、第２ゴム組成物が好ましく、基材ゴムとして天然ゴム（ＮＲ）、エチレン−プロピレン−ジエンゴム（ＥＰＤＭ）、ブチルゴム（ＩＩＲ）を含有することが好ましい。他の部分を形成する組成物が天然ゴム（ＮＲ）、エチレン−プロピレン−ジエンゴム（ＥＰＤＭ）、ブチルゴム（ＩＩＲ）を含有することで、第１ゴム組成物から形成される部分と他の部分との密着性が向上する。
【００６４】
前記内層は、中実層でもよいし、多孔質層でもよい。前記内層を多孔質層とすれば、ゴルフクラブ用グリップを軽量化できる。多孔質層は、基材となるゴムに多数の細孔（空隙）が形成されている層である。多数の細孔が形成されていることにより、層の見掛け密度が小さくなり、軽量化を図ることができる。
【００６５】
多孔質層を作製する方法としては、バルーン発泡法、化学発泡法、超臨界二酸化炭素射出成型法、塩抽出法、溶剤除去法などが挙げられる。前記バルーン発泡法では、ゴム組成物にマイクロバルーンを含有させ、加熱によりマイクロバルーンを膨張させて、発泡させる。なお、ゴム組成物に膨張済みのマイクロバルーンを配合し、それを成形してもよい。前記化学発泡法では、ゴム組成物に発泡剤（アゾジカルボンアミド、アゾビスイソブチロニトリル、Ｎ，Ｎ−ジニトロソペンタメチレンテトラミン、ｐ−トルエンスルホニルヒドラジン、ｐ−オキシビス（ベンゼンスルホヒドラジド）など）や発泡助剤を含有させ、化学反応により気体（炭酸ガス、窒素ガスなど）を発生させて発泡させる。前記超臨界二酸化炭素射出成型では、高圧力下で超臨界状態にある二酸化炭素をゴム組成物に含侵させ、このゴム組成物を常圧下に射出し、二酸化炭素を気化させて発泡させる。前記塩抽出法では、ゴム組成物に易溶解性塩（ホウ酸、塩化カルシウムなど）を含有させ、成形後に塩を溶解抽出して細孔を形成する。前記溶剤除去法では、ゴム組成物に溶剤を含有させ、成形後に溶剤を除去し細孔を形成する。
【００６６】
前記内層を多孔質層とする場合、発泡剤を含有する第２ゴム組成物から成形された発泡層が好ましい。特に、バルーン発泡法により作製された発泡層とすることが好ましい。すなわち、内層としては、マイクロバルーンを含有する第２ゴム組成物から成形された発泡層が好ましい。マイクロバルーンを用いることで、内層の機械的強度を維持しつつ、軽量化を図ることができる。
【００６７】
前記マイクロバルーンとしては、有機マイクロバルーン、無機マイクロバルーンのいずれも使用できる。有機マイクロバルーンとしては、熱可塑性樹脂からなる中空粒子、熱可塑性樹脂の殻に低沸点炭化水素が内包された樹脂カプセルなどが挙げられる。前記樹脂カプセルの具体例としては、Ａｋｚｏ  Ｎｏｂｅｌ社製のエクスパンセル、松本油脂製薬社製のマツモトマイクロスフェアー（登録商標）などが挙げられる。無機マイクロバルーンとしては、中空ガラス粒子（シリカバルーン、アルミナバルーンなど）、中空セラミックス粒子などが挙げられる。
【００６８】
前記樹脂カプセル（膨張前）の体積平均粒子径は、５μｍ以上が好ましく、より好ましくは６μｍ以上、さらに好ましくは９μｍ以上であり、９０μｍ以下が好ましく、より好ましくは７０μｍ以下、さらに好ましくは６０μｍ以下である。
【００６９】
バルーン発泡法により内層を作製する場合、前記第２ゴム組成物中のマイクロバルーンの含有量は、基材ゴム１００質量部に対して、５質量部以上が好ましく、より好ましくは８質量部以上、さらに好ましくは１２質量部以上であり、２０質量部以下が好ましく、より好ましくは１８質量部以下、さらに好ましくは１５質量部以下である。前記マイクロバルーンの含有量が５質量部以上であればグリップの軽量化の効果がより大きくなり、２０質量部以下であれば内層の機械的強度の低下を抑制できる。
【００７０】
また、バルーン発泡法により作製される内層の発泡倍率は、１．２以上が好ましく、より好ましくは１．５以上、さらに好ましくは１．８以上であり、５．０以下が好ましく、より好ましくは４．５以下、さらに好ましくは４．０以下である。発泡倍率が１．２以上であればグリップの軽量化の効果が大きくなり、５．０以下であれば内層の機械的強度の低下を抑制できる。
【００７１】
前記第２ゴム組成物の材料硬度（ショアＡ硬度）は、２０以上が好ましく、より好ましくは２５以上、さらに好ましくは３０以上であり、６０以下が好ましく、より好ましくは５８以下、さらに好ましくは５５以下である。第２ゴム組成物の材料硬度（ショアＡ硬度）が２０以上であれば内層が軟らかくなりすぎず、掴んだ時にしっかりと固定できる感触が得られ、５５以下であれば内層が硬くなりすぎず、掴んだ時のグリップ感がより良好となる。
【００７２】
ゴルフクラブ用グリップは、前記第１ゴム組成物を、金型内で成形することで得られる。成型方法としては、プレス成形、射出成形が挙げられる。また、内層と外層とを有するゴルフクラブ用グリップは、例えば、前記第１ゴム組成物から形成した未加硫のゴムシートと、前記第２ゴム組成物から形成した未加硫のゴムシートとの積層物を、金型内でプレス成形することで得られる。プレス成形を採用する場合、金型温度は１４０℃〜２００℃が好ましく、成形時間は５分間〜４０分間が好ましく、成形圧力は０．１ＭＰａ〜１００ＭＰａが好ましい。
【００７３】
ゴルフクラブ用グリップの形状としては、例えば、シャフトが挿嵌される円筒部と、前記円筒部の後端の開口を覆うように一体形成されたキャップ部とを有する形状が挙げられる。そして、円筒部が、前記第１ゴム組成物から形成されている。さらに、前記円筒部は内層と外層との積層構造を有していることが好ましい。この場合、前記外層が第１ゴム組成物から形成される。
【００７４】
前記円筒部の厚みは、軸方向に一定となるように形成してもよいし、先端部から後端部に向かって徐々に厚くなるように形成してもよい。また、円筒部の厚みは、径方向に一定となるように形成してもよいし、一部に凸条部分（いわゆるバックライン）を設けてもよい。また、円筒部の表面には溝を設けてもよい。溝により、ゴルファーの手とグリップとの間の水膜形成が抑制され、ウェット状態でのグリップ性能がより向上する。さらに、グリップの防滑性能および耐摩耗性の観点から、グリップ内に補強コードを配設してもよい。
【００７５】
前記ゴルフクラブグリップの質量は、１６ｇ以上が好ましく、より好ましくは１８ｇ以上、さらに好ましくは２０ｇ以上であり、３５ｇ以下が好ましく、より好ましくは３２ｇ以下、さらに好ましくは３０ｇ以下である。
【００７６】
［ゴルフクラブ］
本発明には、前記ゴルフクラブ用グリップを用いたゴルフクラブも含まれる。前記ゴルフクラブは、シャフトと、前記シャフトの一端に取り付けられたヘッドと、前記シャフトの他端に取り付けられたグリップとを備え、前記グリップが前記ゴルフクラブ用グリップである。前記シャフトは、ステンレス鋼製や炭素繊維強化樹脂製が使用できる。前記ヘッドとしては、ウッド型、ユーティリティ型、アイアン型が挙げられる。前記ヘッドを構成する材料は、特に限定されるものではなく、例えばチタン、チタン合金、炭素繊維強化プラスチック、ステンレス鋼、マルエージング鋼、軟鉄などが挙げられる。
【００７７】
以下、図面を参照して、ゴルフクラブ用グリップおよびゴルフクラブについて説明する。図８は、ゴルフクラブ用グリップの一例を示す斜視図である。グリップ１は、シャフトが挿嵌される円筒部２と、前記円筒部の後端の開口を覆うように一体形成されたキャップ部３とを有する。そして、前記円筒部の１０％〜６０％の範囲に細溝領域３０が形成されている。この細溝領域３０は、Ｖ字状に周方向に連続するように形成されている。
【００７８】
図９は、図８のゴルフクラブ用グリップのＣ−Ｃ断面模式図である。前記円筒部２は、内層２ａと外層２ｂから構成されている。そして、前記外層２ｂは先端部から後端部にわたり厚さが均一に形成されている。前記内層２ａの厚みは、先端部から後端部に向かって徐々に厚くなるように形成されている。図９に示したグリップ１では、キャップ部３は外層２ｂと同様のゴム組成物から形成されている。
【００７９】
図１２は、本発明のゴルフクラブの一例を示す斜視図である。ゴルフクラブ４は、シャフト５と、前記シャフト５の一端に取り付けられたヘッド６と、前記シャフト４の他端に取り付けられたグリップ１とを備えている。グリップ１の円筒部２にシャフト５の後端が嵌入されている。
【実施例】
【００８０】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【００８１】
［評価方法］
（１）材料硬度（ショアＡ硬度）
ゴム組成物を用いて、１６０℃で８〜２０分間プレスして、厚み２ｍｍのシートを作製した。なお、ゴム組成物がマイクロバルーンを含有する場合は、グリップを形成した際と同様の発泡倍率となるようにマイクロバルーンを膨張させてシートを作製した。このシートを、２３℃で２週間保存し、測定基板などの影響が出ないように、３枚重ねた状態で、自動硬度計（Ｈ．バーレイス社製、デジテストＩＩ）を用いて硬度を測定した。検出器は、「Ｓｈｏｒｅ  Ａ」を用いた。
【００８２】
（２）動摩擦係数
動摩擦係数は、静・動摩擦測定機（トリニティーラボ社製、ＴＬ２０１Ｔｓ）を用いて測定した。具体的には、ゴルフクラブ用グリップからゴム片（幅２ｃｍ、長さ６ｃｍ）を切り出し、これを試験片とした。ゴム片は、グリップの細溝領域（グリップＮｏ．1〜１８は細溝領域、グリップＮｏ．１９〜２３は溝領域）が形成されている部分を切り出した。なお、グリップＮｏ．２４については、細溝領域が形成されていないため、グリップの軸方向の中央付近からゴム片を切り出した。試験片を装置の移動テーブルに固定し、幾何学指紋パターンが施された触覚接触子を使用し、試験片の細溝領域または溝領域の動摩擦を測定した。試験は、移動距離１ｃｍ、移動速度１ｍｍ／秒、荷重２５ｇとした。動摩擦係数は、ずれ運動を開始した位置を０ｃｍとして、０．３５ｃｍ〜０．６５ｃｍの平均値を求めた。なお、動摩擦係数は、グリップＮｏ．２４の動摩擦係数を１００として、指数化した値で示した。
【００８３】
（３）フィーリング評価
グリップをシャフトに装着し、ゴルフクラブを作製した。このゴルフクラブについて１０名のゴルファーに対してフィーリング試験を行った。フィーリングの評価は、グリップＮｏ．２４を基準とし、このグリップＮｏ．２４よりも優れていると感じか否かを評価した。そして、優れていると判断した人が８人以上の場合を「○」、７人以下の場合を「×」と評価した。
【００８４】
（４）ウェット時のフィーリング評価
グリップをシャフトに装着し、ゴルフクラブを作製した。このゴルフクラブについて１０名のゴルファーに対してウェット時のフィーリング試験を行った。ウェット時のフィーリングの評価は、グリップを濡らす前と濡らした後で打撃を行い、グリップが濡れたことでフィーリングに差を感じるか否かを評価した。そして、差なしと判断した人が８人以上の場合を「○」、７人以下の場合を「×」と評価した。
【００８５】
（５）耐久性
グリップをシャフトに装着し、ゴルフクラブを作製した。このゴルフクラブについて、１０００回の実打耐久評価を行った。打撃後のグリップの細溝領域、溝領域の島部を観察し、島部にチッピングが見られた場合を「×」、チッピングが見られなかった場合を「○」と評価した。
【００８６】
（６）ヘッドスピード
ゴルフクラブ（ドライバー）（住友ゴム工業社製、ＸＸＩＯ８（フレックス：Ｓ）のグリップを、試験対象のグリップに取り換え、試験用ゴルフクラブを作製した。このゴルフクラブについて１０名のゴルファーに対して実打評価を実施し、ヘッドスピードを計測した。ヘッドスピードは、特開２０１２−１７０５３２号公報に記載された計測システムを使用して計測し、１０名の平均値を算出した。なお、ヘッドスピードは、グリップＮｏ．２４のヘッドスピードとの差で示した。
【００８７】
［グリップ用組成物の調製］
表１、２に示す配合で各原料を混練し、外層用ゴム組成物および内層用ゴム組成物を調製した。なお、外層用ゴム組成物は、全ての原料をバンバリーミキサーで混練した。内層用ゴム組成物は、マイクロバルーン以外の原料をバンバリーミキサーで混練し、その後、ロールを用いてマイクロバルーンを配合した。内層用ゴム組成物のバンバリーミキサーの混練時の材料温度およびロールによりマイクロバルーンを配合する際の材料温度は、マイクロバルーンの膨張開始温度未満とした。
【００８８】
【表１】
2020018386.tif 000003
【００８９】
【表２】
2020018386.tif 000004
【００９０】
表１、２で用いた材料は下記のとおりである。
ＮＲ（天然ゴム）：ＴＳＲ２０
ＥＰＤＭ（エチレン−プロピレン−ジエンゴム）：住友化学社製、エスプレン（登録商標）５０５Ａ
ＩＩＲ：ＪＳＲ社製、ＪＳＲ  ＢＵＴＹＬ０６５
ＤＩＡＢＬＡＣＫ（登録商標）Ｎ２２０：三菱化学社製、カーボンブラック（ＤＢＰ吸油量：１１５ｃｍ3／１００ｇ）
ウルトラジルＶＮ３  ＧＲ：エボニック社製、造粒シリカ（不定形）（ＤＢＰ吸油量：２００ｃｍ3／１００ｇ〜２４０ｃｍ3／１００ｇ）
硫黄：鶴見化学工業社製、５％油入微粉硫黄（２００メッシュ）
ノクセラーＮＳ：大内新興化学工業社製、Ｎ−ｔ−ブチル−２−ベンゾチアゾリルスルフェンアミド
ノクセラーＣＺ：大内新興化学工業社製、Ｎ−シクロヘキシル−２−ベンゾチアゾリルスルフェンアミド
ソクシノールＤ：住友化学社製、１，３−ジフェニルグアニジン
酸化亜鉛：ＰＴ．ＩＮＤＯ  ＬＹＳＡＧＨＴ社製、ホワイトシール
ノクラック（登録商標）ＮＳ−６：大内新興化学工業社製、２，２’−メチレンビス（４−メチル−６−ｔ−ブチルフェノール）
サントガードＰＶＩ：三新化学工業社製、Ｎ−シクロヘキシルチオフタルイミド
安息香酸：Ａｌｄｒｉｃｈ社製
ステアリン酸：日油社製、ビーズステアリン酸つばき
ＰＷ３８０：出光興産社製、ダイアナプロセスオイルＰＷ３８０
マイクロバルーン：Ａｋｚｏ  Ｎｏｂｅｌ社製、「エクスパンセル（登録商標）９０９−８０ＤＵ」（熱可塑性樹脂の殻に低沸点炭化水素が内包された樹脂カプセル、体積平均粒子径１８μｍ〜２４μｍ、膨張開始温度１２０℃〜１３０℃）
【００９１】
［グリップの作製］
グリップＮｏ．１〜１３および１５〜２４
前記外層用ゴム組成物を用いて、扇台形状の未加硫の外層用ゴムシートおよびキャップ部材を作製した。なお、外層用ゴムシートは一定の厚さとなるように成形した。前記内層用ゴム組成物を用いて、長方形状の未加硫の内層用ゴムシートを作製した。なお、内層用ゴムシートは、一方端から他方端に向かって徐々に厚くなるように形成した。マンドレルに内層用ゴムシートを巻き付け、接着剤組成物を塗布した後、この上に外層用ゴムシートを重ねて巻き付けた。これらのゴムシートを巻き付けたマンドレルおよびキャップ部材を、金型に投入した。そして、金型温度１６０℃、加熱時間１５分間で熱処理を行い、外層表面に細溝を有さないグリップを得た。得られた細溝を有さないグリップの円筒部の厚さは、最薄部（ヘッド側端部）が１．５ｍｍ、最厚部（グリップエンド側端部）が６．７ｍｍであった。
【００９２】
グリップＮｏ．１４
前記外層用ゴム組成物を用いて、扇台形状の未加硫のゴムシートおよびキャップ部材を作製した。なお、ゴムシートは一方端から他方端に向かって徐々に厚くなるように形成した。マンドレルにゴムシートを巻き付け、ゴムシートを巻き付けたマンドレルおよびキャップ部材を、金型に投入した。そして、金型温度１６０℃、加熱時間１５分間で熱処理を行い、外層表面に細溝を有さないグリップを得た。得られた細溝を有さないグリップの円筒部の厚さは、最薄部（ヘッド側端部）が１．５ｍｍ、最厚部（グリップエンド側端部）が６．７ｍｍであった。
【００９３】
グリップＮｏ．１〜２３
上記で得た細溝を有さないグリップについて、レーザ加工機（アマダミヤチ社製、ファイバーレーザー加工機、「ＭＬ−７３２０ＤＬ」）を用いて、表３〜５に示す溝を形成し、細溝領域または溝領域を付与した。各グリップの細溝領域または溝領域の形成範囲は以下のとおりである。なお、グリップの円筒部のチップ側端部を０％、バット側端部を１００％とする。グリップＮｏ．１〜９、１４〜１７および１９〜２２は、２０％〜１００％の範囲；グリップＮｏ．１０は、２６％〜３６％の範囲；グリップＮｏ．１１および２３は、１８％〜５８％の範囲；グリップＮｏ．１２は、１８％〜７８％の範囲；グリップＮｏ．１３は、０％〜１００％の範囲に形成した。なお、上記の範囲において、細溝領域または溝領域を、円筒部全周に形成した。各グリップの評価結果を表３〜５に示した。
【００９４】
【表３】
2020018386.tif 000005
【００９５】
【表４】
2020018386.tif 000006
【００９６】
【表５】
2020018386.tif 000007
【００９７】
グリップＮｏ．１〜１９は、円筒部の表面の少なくとも一部に、２５ｍｍ2当たりの細溝の占有率が３５％以上である細溝領域を有する場合である。特に、グリップＮｏ．１〜１４は、細溝領域における細溝の間隔が０．３〜１．５ｍｍであり、細溝領域の総面積が１４００ｍｍ2以上である。これらのグリップＮｏ．１〜１４は、防滑性能、ウェット時のフィーリングおよび耐久性に優れ、かつ、ヘッドスピードが向上している。
【００９８】
グリップＮｏ．１５は、細溝の間隔が０．１５ｍｍであり、耐久性が劣る。グリップＮｏ．１６、１７は、細溝の間隔が１．８ｍｍまたは２．０ｍｍであり、フィーリングが劣り、ヘッドスピードが向上していない。グリップＮｏ．１８は、細溝領域の総面積が１４４３ｍｍ2であり、ウェット時のフィーリングが劣る。また、グリップＮｏ．１８は、細溝領域のパターンが、グリップＮｏ．１０、１１の細溝領域のパターンと同一であるが、導入面積が小さいため、摩擦係数が異なっていると考えられる。
【００９９】
グリップＮｏ．１９〜２３は、円筒部の表面に２５ｍｍ2当たりの溝の占有率が３５％以上である溝領域を有する。しかしながら、グリップＮｏ．１９は溝の幅が０．１ｍｍ未満であり、ウェット時のフィーリングが劣る。グリップＮｏ．２０、２１は溝の幅が０．７ｍｍ超であり、防滑性能、フィーリングが劣り、ヘッドスピードが向上していない。グリップＮｏ．２２は溝の深さが０．１ｍｍ未満であり、ウェット時のフィーリングが劣る。グリップＮｏ．２３は溝の深さが１．０ｍｍ超であり、フィーリングや耐久性が劣る。
【符号の説明】
【０１００】
１：グリップ、２：円筒部、２ａ：内層、２ｂ：外層、３：キャップ部、４：ゴルフクラブ、５：シャフト、６：ヘッド、１０：第１の細溝群、２０：第２の細溝群、３０：細溝領域
【図１】
2020018386.tif 000008
【図２】
2020018386.tif 000009
【図３】
2020018386.tif 000010
【図４】
2020018386.tif 000011
【図５】
2020018386.tif 000012
【図６】
2020018386.tif 000013
【図７】
2020018386.tif 000014
【図８】
2020018386.tif 000015
【図９】
2020018386.tif 000016
【図１０】
2020018386.tif 000017
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
シャフトが挿嵌される円筒部を有するグリップであって、
前記円筒部の表面の少なくとも一部に、２５ｍｍ2当たりの細溝の占有率が３５％以上である細溝領域を有し、
前記細溝領域の総面積が、１４００ｍｍ2以上であり、
前記細溝の幅（ｗ）が０．１ｍｍ〜０．７ｍｍ、細溝の深さ（ｈ）が０．１ｍｍ〜１．０ｍｍであり、
前記細溝の断面形状がＶ字状であることを特徴とするゴルフクラブ用グリップ。
【請求項２】
シャフトが挿嵌される円筒部を有するグリップであって、
前記円筒部の表面の少なくとも一部に、２５ｍｍ2当たりの細溝の占有率が３５％以上である細溝領域を有し、
前記細溝領域の総面積が、１４００ｍｍ2以上であり、
前記細溝の幅（ｗ）が０．１ｍｍ〜０．７ｍｍ、細溝の深さ（ｈ）が０．１ｍｍ〜１．０ｍｍであり、
前記細溝が交差するように形成されていることを特徴とするゴルフクラブ用グリップ。
【請求項３】
前記細溝によって区切られることで島部が形成されている請求項２に記載のゴルフクラブ用グリップ。
【請求項４】
前記細溝の幅が、深くなるほど幅が狭くなるように形成されている請求項２または３に記載のゴルフクラブ用グリップ。
【請求項５】
前記円筒部のチップ側端部を０％、バット側端部を１００％としたとき、
前記円筒部の１０％〜１００％の範囲の少なくとも一部に、前記細溝領域が設けられている請求項１〜４のいずれか一項に記載のゴルフクラブ用グリップ。
【請求項６】
前記細溝領域において、前記細溝の間隔（ｄ）が、１．５ｍｍ以下である請求項１〜５のいずれか一項に記載のゴルフクラブ用グリップ。
【請求項７】
前記細溝領域において、前記細溝の間隔（ｄ）と前記細溝の幅（ｗ）との比（ｄ／ｗ）が、１〜５である請求項６に記載のゴルフクラブ用グリップ。
【請求項８】
前記円筒部が、基材ゴムとして非極性ゴムを含有するゴム組成物から形成されている請求項１〜７のいずれか一項に記載のゴルフクラブ用グリップ。
【請求項９】
シャフトと、前記シャフトの一端に取り付けられたヘッドと、前記シャフトの他端に取り付けられたグリップとを備え、
前記グリップが、請求項１〜８のいずれか１項に記載のゴルフクラブ用グリップであることを特徴とするゴルフクラブ。
【手続補正２】
【補正対象書類名】明細書
【補正対象項目名】００９８
【補正方法】変更
【補正の内容】
【００９８】
グリップＮｏ．１５は、細溝の間隔が０．１５ｍｍであり、耐久性が劣る。グリップＮｏ．１６、１７は、細溝の間隔が１．８ｍｍまたは２．０ｍｍであり、フィーリングが劣り、ヘッドスピードが向上していない。グリップＮｏ．１８は、細溝領域の総面積が１３８３ｍｍ2であり、ウェット時のフィーリングが劣る。また、グリップＮｏ．１８は、細溝領域のパターンが、グリップＮｏ．１０、１１の細溝領域のパターンと同一であるが、導入面積が小さいため、摩擦係数が異なっていると考えられる。